(57)【特許請求の範囲】
【請求項１】
被取付箇所に対して対向して固定される一対のダクト側壁と、このダクト側壁の間の空間を閉塞すべくダクト側壁に取り付けられる蓋体とを具備しており、前記蓋体は、ダクト側壁の上端に嵌まり込む一対の嵌合部と、この嵌合部の間に設けられた伸縮部とを有しており、前記伸縮部は、可撓性を有する素材からなる長尺状のチューブ状部材が複数個横方向に連結されたものであり、一対のダクト側壁の間の距離に応じて伸縮することを特徴とする配線ダクト。
【請求項２】
被取付箇所に対して対向して固定される一対のダクト側壁と、このダクト側壁の間の空間を閉塞すべくダクト側壁に取り付けられる蓋体とを具備しており、前記蓋体は、ダクト側壁の上端に嵌まり込む一対の嵌合部と、この嵌合部の間に設けられた伸縮部とを有しており、前記伸縮部は、雨樋が横方向に並んだような形状に加工した２枚の薄板を凸部が外向きになるようにして組み合わせ、この状態で２枚の薄板の接触している部分を連結したものであり、一対のダクト側壁の間の距離に応じて伸縮することを特徴とする配線ダクト。
【請求項３】
被取付箇所に対して対向して固定される一対のダクト側壁と、このダクト側壁の間の空間を閉塞する可撓性を有する素材からなる蓋体とを具備しており、前記蓋体は、一端側に一方のダクト側壁の上端に嵌まり込む嵌合部が設けられており、前記ダクト側壁のうち他方のダクト側壁の内側には前記蓋体の他端が入り込むスリットを構成する内壁が設けられていることを特徴とする配線ダクト。
【発明の詳細な説明】
【技術分野】
【０００１】
本発明は、例えば、配電盤等の数多くの配線を収納する配線ダクトに関する。
【背景技術】
【０００２】
この種の配線ダクトとしては、特開２００４−１８４９３１号公報に示されるように、ダクト本体と、このダクト本体の開口を塞ぐための蓋体とから構成されるものが一般的である。
【０００３】
かかる配線ダクトは、次のようにして使用される。
まず、ダクト本体が、配電盤内部の被取付箇所に固定的に取り付けられる。かかるダクト本体の内部に複数の配線が収納される。そして、このダクト本体に蓋体を取り付けて、配線ダクトの外側に配線がはみ出さないようにするものである。
【０００４】
このような配線ダクトの配線の収納容量は、ダクト本体の幅寸法及び高さ寸法によって決定される。このため、配線ダクトは基本的な形状は同一パターンとするが、幅寸法及び高さ寸法が異なったバージョンを数多く用意しているのが一般的である。
【０００５】
【特許文献１】特開２００４−１８４９３１号
【発明の開示】
【発明が解決しようとする課題】
【０００６】
しかしながら、幅寸法及び高さ寸法が異なったバージョンを数多く準備することは、多くの在庫を抱えることが必要になるという問題点がある。
また、すでに配電盤等で使用されている配線ダクトに収納すべき配線の量が、機器等の仕様変更等により増加した場合には、場合によっては、配線ダクト自体を交換する必要が生じることがある。
さらに、この種の配線ダクトは、搬送や保管時に応力がかからないように一定のスペースを確保する必要があり、省スペースを図るのが難しいという問題点がある。
【０００７】
本発明は、上記事情に鑑みて創案されたもので、幅寸法が異なった数多くのバージョンを準備する必要がなく、収納すべき配線の量が増加しても、配線ダクトを新たなものに交換する必要がなく、搬送や保管時にもより省スペースを図ることができる配線ダクトを提供することを目的としている。
【課題を解決するための手段】
【０００８】
本発明に係る配線ダクトは、被取付箇所に対して対向して固定される一対のダクト側壁と、このダクト側壁の間の空間を閉塞すべくダクト側壁に取り付けられる蓋体とを具備しており、前記蓋体は、ダクト側壁の上端に嵌まり込む一対の嵌合部と、この嵌合部の間に設けられた伸縮部とを有しており、前記伸縮部は、可撓性を有する素材からなる長尺状のチューブ状部材が複数個横方向に連結されたものであり、一対のダクト側壁の間の距離に応じて伸縮したり、雨樋が横方向に並んだような形状に加工した２枚の薄板を凸部が外向きになるようにして組み合わせ、この状態で２枚の薄板の接触している部分を連結したものである。
【０００９】
また、本発明に係る他の配線ダクトは、被取付箇所に対して対向して固定される一対のダクト側壁と、このダクト側壁の間の空間を閉塞する可撓性を有する素材からなる蓋体とを備えており、前記蓋体は、一端側に一方のダクト側壁の上端に嵌まり込む嵌合部が設けられており、前記ダクト側壁のうち他方のダクト側壁の内側には前記蓋体の他端が入り込むスリットを構成する内壁が設けられている。
【発明の効果】
【００１０】
本発明に係る配線ダクトは、被取付箇所に対して対向して固定される一対のダクト側壁と、このダクト側壁の間の空間を閉塞すべくダクト側壁に取り付けられる蓋体とを備えており、前記蓋体は、ダクト側壁の上端に嵌まり込む一対の嵌合部と、この嵌合部の間に設けられた伸縮部とを有しており、前記伸縮部は、一対のダクト側壁の間の距離に応じて伸縮するように構成されているので、一対のダクト側壁の間の距離を変更するだけで、幅寸法が異なった配線ダクトとすることができる。このため、幅寸法のみが違った多くのバージョンを製造する必要がなく、在庫も少なくてすむというメリットがある。さらに、搬送時や保管時にダクト側壁のためのスペースが少なくてすむという効果もある。
【００１２】
また、前記伸縮部が、可撓性を有する素材からなる長尺状のチューブ状部材が複数個横方向に連結されたものであれば、ダクト側壁の間の距離を短くした状態でも、蓋体の伸縮部が歪むことがなく美しく保たれる。
【００１３】
また、前記伸縮部が、雨樋が横方向に並んだような形状に加工した２枚の薄板を凸部が外向きになるようにして組み合わせ、この状態で２枚の薄板の接触している部分を連結したものであるならば、より簡単、安価に伸縮部を製造することができるというメリットがある。
【００１５】
また、配線ダクトが、被取付箇所に対して対向して固定される一対のダクト側壁と、このダクト側壁の間の空間を閉塞する可撓性を有する素材からなる蓋体とを具備しており、前記蓋体は、一端側に一方のダクト側壁の上端に嵌まり込む嵌合部が設けられており、前記ダクト側壁のうち他方のダクト側壁の内側には前記蓋体の他端が入り込むスリットを構成する内壁が設けられているものであっても、幅寸法のみが違った多くのバージョンを製造する必要がなく、在庫も少なくてすむというメリットがある。さらに、搬送時や保管時にダクト側壁のためのスペースが少なくてすむという効果もある。
【発明を実施するための最良の形態】
【００１６】
図１は本発明の第１の実施の形態に係る配線ダクトの図面であって、同図（Ａ）は最も幅狭にした状態の概略的側面図、同図（Ｂ）は最も幅広にした状態の概略的側面図、図２は本発明の第１の実施の形態に係る配線ダクトのダクト側壁の概略的斜視図、図３は本発明の第１の実施の形態に係る配線ダクトを構成するダクト側壁の収納状態を示す概略的側面図、図４は本発明の第２の実施の形態に係る配線ダクトの図面であって、同図（Ａ）は最も幅狭にした状態の概略的側面図、同図（Ｂ）は最も幅広にした状態の概略的側面図、図５は本発明の第２の実施の形態に係る配線ダクトの変形例の蓋体の伸縮部を構成する薄板の概略的斜視図、図６は本発明の第３の実施の形態に係る配線ダクトの図面であって、同図（Ａ）は最も幅狭にした状態の概略的側面図、同図（Ｂ）は最も幅広にした状態の概略的側面図、図７は本発明の第３の実施の形態に係る配線ダクトを構成する蓋体の伸縮部の詳細を説明するための概略的一部破断斜視図、図８は本発明の第４の実施の形態に係る配線ダクトの図面であって、同図（Ａ）は最も幅狭にした状態の概略的側面図、同図（Ｂ）は最も幅広にした状態の概略的側面図、図９は図８（Ｂ）のｄ部の概略的拡大図である。
【００１７】
本発明の第１の実施の形態に係る配線ダクトＡは、例えば、配電盤等の被取付箇所に対して対向して固定される一対のダクト側壁１００Ａと、このダクト側壁１００Ａの間の空間Ｓを閉塞すべくダクト側壁１００Ａに取り付けられる蓋体２００Ａとを備えており、前記蓋体２００Ａは、ダクト側壁１００Ａの上端に嵌まり込む一対の嵌合部２１０Ａと、この嵌合部２１０Ａの間に設けられた伸縮部２２０Ａとを有しており、前記伸縮部２２０Ａは、一対のダクト側壁１００Ａの間の距離に応じて伸縮するものであり、１枚の薄板が蛇腹状に形成されたものである。
【００１８】
まず、ダクト側壁１００Ａは、例えば、合成樹脂等の絶縁性を有する素材から構成されている。かかるダクト側壁１００Ａは、例えば２ｍの定尺ものになっており、カットしたり複数を組み合わせたりして必要な長さにする。
【００１９】
このダクト側壁１００Ａは、図２等に示すように、側壁部１１０Ａと、この側壁部１１０Ａの下端から側壁部１１０Ａに対して内側に向かって直交する方向に延設された取付部１２０Ａとが一体に形成されたものである。従って、このダクト側壁１００Ａは側面からみると略Ｌ字形状に形成されている。そして、前記側壁部１１０Ａの上端は、図１に示すように、若干内側に向かって屈曲されている。これは、後述する蓋体２００Ａの嵌合部２１０Ａが側壁部１１０Ａの上端に嵌まり込んだ際に、側壁部１１０Ａと嵌合部２１０Ａとが面一になるようにするためである。
【００２０】
前記取付部１２０Ａは、ダクト側壁１００Ａを配電盤等の被取付箇所に取り付けるための取付穴１２１Ａが一定間隔で設けられている。この取付穴１２１Ａは、図２に示すように、取付部１２１Ａの外縁から側壁部１１０Ａ側に向かって形成された半長円状の切欠である。このように取付穴１２１Ａを切欠としておけば、取付ビス３００を完全に取り外さない状態でも、ダクト側壁１００Ａを被取付箇所に対して着脱することが可能になるというメリットがある。
【００２１】
このように構成されたダクト側壁１００Ａは、左右対称の一対で一組になっている。そして、側壁部１１０Ａが平行になるようにして被取付箇所に取り付けられる。従って、一対のダクト側壁１００Ａの間の空間Ｓは、いずれの位置でも幅寸法は一定になっている。
【００２２】
一方、蓋体２００Ａは、ダクト側壁１００Ａの長さ寸法に対応した長さ寸法を有する１枚の薄板が蛇腹状に形成された伸縮部２２０Ａと、この伸縮部２２０Ａの両端に設けられた側面視略逆凹字形状の嵌合部２１０Ａとが一体になったものである。伸縮部２２０Ａ及び嵌合部２１０Ａは合成樹脂等の絶縁性を有する素材から構成されており、しかも、伸縮部２２０Ａは可撓性を有する素材から構成されている。
【００２３】
前記伸縮部２２０Ａは、例えば、合成樹脂製の薄板材であり、交互に折曲されて蛇腹状に形成されている。よって、この伸縮部２２０Ａは、一対のダクト側壁１００Ａの間の距離に応じて伸縮するようになっている。
【００２４】
一方、前記嵌合部２１０Ａは、側面視下向き略凹字形状の樋状物であり、ダクト側壁１００Ａの側壁部１１０Ａの上端に嵌まり込むことで蓋体２００Ａをダクト側壁１００Ａに取り付けるものである。
【００２５】
上述のように構成されたダクト側壁１００Ａ及び蓋体２００Ａから構成される配線ダクトＡは、収納すべき配線が少ない場合には、図１（Ａ）に示すように、一対のダクト側壁１００Ａの間の距離を小さくして取付ビス３００等で被取付箇所に取り付けられる。そして、蓋体２００Ａの嵌合部２１０Ａを両ダクト側壁１００Ａの側壁部１１０Ａの上端に嵌め込む。この場合、蓋体２００Ａの伸縮部２２０Ａは、縮まった状態になる。
【００２６】
逆に、収納すべき配線が多い場合には、図１（Ｂ）に示すように、一対のダクト側壁１００Ａの間の距離を大きく取付ビス３００等で被取付箇所に取り付けられる。そして、蓋体２００Ａの嵌合部２１０Ａを両ダクト側壁１００Ａの側壁部１１０Ａの上端に嵌め込む。この場合、蓋体２００Ａの伸縮部２２０Ａは、伸びた状態になる。
【００２７】
少ない配線を収納していた配線ダクトＡに対して、より多くの配線を収納するような変更があった場合には、周囲のスペースに応じて、一対のダクト側壁１００Ａの一方又は両方を移動させることで対応する。この際、取付穴１２１Ａが切欠であると、取付ビス３００を完全に取り外すことなく、緩めるだけでダクト側壁１００Ａの移動が可能となる。
【００２８】
ところで、この配線ダクトＡは、図３に示すように、複数のダクト側壁１００Ａを積み重ねた状態で搬送や保管等をすることが可能なので、少ないスペースにより多くの配線ダクトを収めるという省スペースも達成することができる。また、蓋体２００Ａも伸縮部２２０Ａを縮めた状態で搬送、保管等をすることができるので、この点からも省スペースに大きく寄与することができる。
【００２９】
次に、図４を参照しつつ本発明の第２の実施の形態に係る配線ダクトＢについて説明する。
この本発明の第２の実施の形態に係る配線ダクトＢが、第１の実施の形態に係る配線ダクトＡと相違する点は、蓋体２００Ｂの伸縮部２２０Ｂである。
この第２の実施の形態に係る配線ダクトＢにおける蓋体２００Ｂの伸縮部２２０Ｂは、可撓性を有する素材からなる長尺状のチューブ状部材２２１Ｂが複数個横方向に連結されたものである。
【００３０】
チューブ状部材２２１Ｂは、隣り合うチューブ状部材２２１Ｂと接着剤や高周波溶着等の適宜な手段で連結されることで蓋体２００Ｂの伸縮部２２０Ｂを構成している。かかる伸縮部２２０Ｂは、チューブ状部材２２１Ｂ自体の変形によって横方向に伸縮することになる。
【００３１】
蓋体２００Ｂのその他の部分、すなわち伸縮部２２０Ｂの横方向両端に設けられた嵌合部２１０Ｂは、上述した第１の実施の形態に係る配線ダクトＡにおける嵌合部２１０Ａと同等である。また、ダクト側壁２００Ｂも上述した第１の実施の形態に係る配線ダクトＡにおけるダクト側壁１００Ａと同等である。
【００３２】
なお、この第２の実施の形態に係る配線ダクトＢの変形例として、図５に示すようなものも考えられる。この変形例は、伸縮部２２０Ｂを予めチューブ状に形成されたチューブ状部材２２１Ｂを横方向に連結させることで構成するのではなく、図５に示すように、雨樋が横方向に並んだような形状に加工した合成樹脂等からなる薄板４００を組み合わせることで構成する。すなわち、凸部が外向きになるようにして２枚の前記薄板４００を組み合わせ、この状態で２枚の薄板４００の接触している部分を接着剤や高周波溶着等の適宜な手段で連結することで伸縮部２２０Ｂを構成するのである。
【００３３】
このように２枚の薄板４００から伸縮部２２０Ｂを構成すると、チューブ状部材２２１Ｂを横方向に連結させるものより、簡単、安価に伸縮部２２０Ｂを製造することができるというメリットがある。
【００３４】
次に、図６及び図７を参照しつつ本発明の第３の実施の形態に係る配線ダクトＣについて説明する。
この配線ダクトＣは、蓋体２００Ｃの伸縮部２２０Ｃが、複数の板材２２２Ｃから構成され、この板材２２２Ｃが入れ子式になっている。例えば、図６等に示すものは、３枚の板材２２２Ｃからなる三段式の入れ子が中央の板材２２２Ｃが連結する構成になっている。最も内側の板材２２２Ｃには最も薄いものが用いられ、その外側の板材２２２Ｃは、両端部が略鍵形に形成されており、最も内側の板材２２２Ｃを抱え込むようになっている。このようにして、外側の板材２２２Ｃがそれより一つ内側の板材２２２Ｃを抱え込むように構成することで、この伸縮部２２０Ｃが形成されているのである。
【００３５】
かかる伸縮部２２０Ｃは、各板材２２２Ｃが自身より一つ外側に位置する板材２２２Ｃに対して進退可能になっているため、寸法を変更することができるのである。なお、図示しないが、各板材２２２Ｃには、自身より一つ外側に位置する板材２２２Ｃ（自身が抱え込まれいている板材２２２Ｃ）から抜け落ちないようにするためのストッパーが設けられている。
【００３６】
かかる伸縮部２２０Ｃの最も外側に位置する板材２２２Ｃの外側端部には、ダクト側壁１００Ｃの側壁部１１０Ｃ上端に嵌まり込む嵌合部２１０Ｃが設けられている。
【００３７】
なお、図６等に示す伸縮部２２０Ｃは、両方向に伸縮可能となっているが、一方向にのみ伸縮可能にとなっているものであってもよい。
【００３８】
このように伸縮部２２０Ｃが複数の板材２２２Ｃから構成され、この板材２２２Ｃが入れ子式になっている第３の実施の形態に係る配線ダクトＣは、第２の実施の形態に係る配線ダクトＢにおけるチューブ状部材２２１Ｂが複数個横方向に連結されたものとは違って、伸縮部２２０Ｃが最大限に拡がった状態でも伸縮部２２０Ｃには縮もうとする力が働かないため、一対の側壁ダクト１００Ｃにそのような力が働かないというメリットがある。
【００３９】
次に、図８及び図９を参照しつつ本発明の第４の実施の形態に係る配線ダクトＤについて説明する。
この本発明の第４の実施の形態に係る配線ダクトＤは、例えば、配電盤等の被取付箇所に対して対向して固定される一対のダクト側壁１００Ｄと、このダクト側壁１００Ｄの間の空間Ｓを閉塞する可撓性を有する素材からなる蓋体２００Ｄとを備えており、前記蓋体２００Ｄは、一端側に一方のダクト側壁１１０Ｄの上端に嵌まり込む嵌合部２１０Ｄが設けられており、前記ダクト側壁１１０Ｄのうち他方のダクト側壁１１０Ｄの内側には前記蓋体２００Ｄの他端が入り込むスリット１４０Ｄを構成する内壁１３０Ｄが設けられている。
【００４０】
この配線ダクトＤが、上述した第１〜第３の実施の形態に係る配線ダクトＡ〜Ｃと大きく異なる点は、前記他方のダクト側壁１００Ｄに取り付けられていない側の端部が入り込むスリット１４０Ｄを構成する内壁１３０Ｄが他方のダクト側壁１００Ｄに沿って設けられている点である。
【００４１】
前記蓋体２００Ｄは、合成樹脂製の薄板であって、複数の浅い溝部（図示省略）が幅方向に平行に形成されている。このような溝部を形成することによって、蓋体２００Ｄ自身がその溝部から容易に屈曲させることができるようになるのである。かかる蓋体２００Ｄの一方には、一方のダクト側壁１１０Ｄの上端に嵌まり込む嵌合部２１０Ｄが設けられている。また、蓋体２００Ｄの他方には、図９に示すような略くさび状の蓋側ストッパー２３０Ｄが設けられている。この蓋側ストッパー２３０Ｄは、一対のダクト側壁１１０Ｄの間の距離を最大にした場合に、後述する内壁１３０Ｄの上端に設けられた壁側ストッパー１３１Ｄにひっかかって蓋体２００Ｄが抜け落ちないようにするものである。
【００４２】
前記他方のダクト側壁１００Ｄの内壁１３０Ｄは、当該ダクト側壁１００Ｄの取付部１２０Ｄから側壁部１１０Ｄと平行に立設されている。そして、この内壁１３０Ｄと側壁部１１０Ｄとの間の間隔は、前記蓋体２００Ｄが入り込むことができ、異物が侵入しない程度の狭さに設定されている。そして、この内壁１３０Ｄの上端には、前記蓋側ストッパー２３０Ｄがひっかかる壁側ストッパー１３１Ｄが設けられている。
【００４３】
図８（Ａ）に示すように、一対の側壁ダクト１００Ｄの最小幅寸法は、蓋体２００Ｄの自由端側（他端側）がスリット１４０Ｄの底部、すなわち取付部１２０Ｄに接触する際の寸法である。逆に、図８（Ｂ）に示すように、一対の側壁ダクト１００Ｄの最大幅寸法は、蓋体２００Ｄの自由端側（他端側）がスリット１４０Ｄの最上部に位置し、かつ蓋体２００Ｄがスリット１４０Ｄから抜け落ちないように、蓋側ストッパー２３０Ｄが壁側ストッパー１３１Ｄにひっかかる際の寸法となる。
【００４４】
このように構成された配線ダクトＤは、以下のようにして被取付箇所に取り付けられる。まず、一対の側壁ダクト１００Ｄの前記最小幅寸法と最大幅寸法との間において、各側壁ダクト１００Ｄを被取付箇所に固定する。この際、蓋体２００Ｄの他端側は前記スリット１４０Ｄには入り込まないようにする。そして、一対の側壁ダクト１００Ｄに挟まれた空間Ｓに配線を収納する。さらに、蓋体２００Ｄの嵌合部２１０Ｄをスリット０４０Ｄが設けられていない側のダクト側壁１１０Ｄの上端に嵌め込み、蓋体２００Ｄの蓋側ストッパー２３０Ｄをスリット１４０Ｄに挿入することで前記空間Ｓを閉塞する。
【図面の簡単な説明】
【００４５】
【図１】本発明の第１の実施の形態に係る配線ダクトの図面であって、同図（Ａ）は最も幅狭にした状態の概略的側面図、同図（Ｂ）は最も幅広にした状態の概略的側面図である。
【図２】本発明の第１の実施の形態に係る配線ダクトのダクト側壁の概略的斜視図である。
【図３】本発明の第１の実施の形態に係る配線ダクトを構成するダクト側壁の収納状態を示す概略的側面図である。
【図４】本発明の第２の実施の形態に係る配線ダクトの図面であって、同図（Ａ）は最も幅狭にした状態の概略的側面図、同図（Ｂ）は最も幅広にした状態の概略的側面図である。
【図５】本発明の第２の実施の形態に係る配線ダクトの変形例の蓋体の伸縮部を構成する薄板の概略的斜視図である。
【図６】本発明の第３の実施の形態に係る配線ダクトの図面であって、同図（Ａ）は最も幅狭にした状態の概略的側面図、同図（Ｂ）は最も幅広にした状態の概略的側面図である。
【図７】本発明の第３の実施の形態に係る配線ダクトを構成する蓋体の伸縮部の詳細を説明するための概略的一部破断斜視図である。
【図８】本発明の第４の実施の形態に係る配線ダクトの図面であって、同図（Ａ）は最も幅狭にした状態の概略的側面図、同図（Ｂ）は最も幅広にした状態の概略的側面図である。
【図９】図８（Ｂ）のｄ部の概略的拡大図である。
【符号の説明】
【００４６】
１００Ａ  ダクト側壁
２００Ａ  蓋体
２１０Ａ  嵌合部
２２０Ａ  伸縮部
Ａ        配線ダクト
【図１】
0004558618.tif 000002
【図２】
0004558618.tif 000003
【図３】
0004558618.tif 000004
【図４】
0004558618.tif 000005
【図５】
0004558618.tif 000006
【図６】
0004558618.tif 000007
【図７】
0004558618.tif 000008
【図８】
0004558618.tif 000009
【図９】
0004558618.tif 000010